(57)【要約】【課題】ＰＣＢの適正な処理をトラブルなく行うことができる有機ハロゲン化処理物の受入検査方法を提供する。【解決手段】処理依頼者１１からの被処理物１２の容器に穴あけ処理装置１３で穴をあけ、試験液１４を取り出す。その後試験装置１５により試験を行うものである。この試験の結果を判定１６し、その判定結果に基づき、被処理物１２を分別処理１７する。そして、前記判定により、「受入否」となった被処理物は密閉容器に封入後、処理依頼者へ返却１８する。一方、判定により「受入可」となった被処理物はＰＣＢ処理設備１００へ搬送１９される。【選択図】        図１
2005238130.tif 000002
【特許請求の範囲】
【請求項１】
有機ハロゲン化処理物を処理する前段階において、処理依頼された被処理物から試験液を抜き出し、該試験液の受入検査を行い、その後有機ハロゲン化物か否かを判定することを特徴とする有機ハロゲン化処理物の受入検査方法。
【請求項２】
請求項１において、
受入検査が静電容量検査及び燃焼処理・塩素分析検査であることを特徴とする有機ハロゲン化処理物の受入検査方法。
【請求項３】
請求項１又は２において、
受入検査により有機ハロゲン化物以外の場合に、処理依頼者へ返却することを特徴とする有機ハロゲン化処理物の受入検査方法。
【請求項４】
請求項１乃至３のいずれか一つにおいて、
有機ハロゲン化物がＰＣＢであることを特徴とする有機ハロゲン化処理物の受入検査方法。
【請求項５】
処理依頼された被処理物の性状を検査する受入部と、
該受入部でＰＣＢを含む容器であることを確認した後、被処理物からＰＣＢを液抜きする液抜き部と、液抜きした容器を分離、破砕、洗浄等する容器処理部と、容器処理部から排出される分離品又は洗浄液又は有害物質を亜臨界状態で水熱酸化分解処理する水熱酸化分解装置とを、具備することを特徴とするＰＣＢ処理システム。
【請求項６】
請求項５において、
前記受入部が被処理物から試験液を抜取る液抜取り装置と、試験液の性状を検査する試験装置とを、具備することを特徴とするＰＣＢ処理システム。
【請求項７】
請求項６において、
前記試験装置が静電容量検査装置及び燃焼処理・塩素分析検査であることを特徴とするＰＣＢ処理システム。
【発明の詳細な説明】
【技術分野】
【０００１】
本発明は例えばＰＣＢ等の有害物質を適切に処理することができる有機ハロゲン化処理物の受入検査方法及びＰＣＢ処理システムに関する。
【背景技術】
【０００２】
近年では、ＰＣＢ（Ｐｏｌｙｃｈｌｏｒｉｎａｔｅｄ ｂｉｐｈｅｎｙｌ， ポリ塩化ビフェニル：ビフェニルの塩素化異性体の総称）が強い毒性を有することから、その製造および輸入が禁止されている。このＰＣＢは、１９５４年頃から国内で製造開始されたものの、カネミ油症事件をきっかけに生体・環境への悪影響が明らかになり、１９７２年に行政指導により製造中止、回収の指示（保管の義務）が出された経緯がある。ＰＣＢは、ビフェニル骨格に塩素が１〜１０個置換したものであり、置換塩素の数や位置によって理論的に２０９種類の異性体が存在し、現在、市販のＰＣＢ製品において約１００種類以上の異性体が確認されている。また、この異性体間の物理・化学的性質や生体内安定性および環境動体が多様であるため、ＰＣＢの化学分析や環境汚染の様式を複雑にしているのが現状である。さらに、ＰＣＢは、残留性有機汚染物質のひとつであって、環境中で分解されにくく、脂溶性で生物濃縮率が高く、さらに半揮発性で大気経由の移動が可能であるという性質を持つ。また、水や生物等環境中に広く残留することが報告されている。このＰＣＢは平成４（１９９７）年に廃ＰＣＢ、ＰＣＢを含む廃油、ＰＣＢ汚染物が廃棄物の処理及び清掃に関する法律に基づく特別管理廃棄物に指定され、さらに、平成９（１９９７）年にはＰＣＢ汚染物として木くず、繊維くずが、追加指定された。ＰＣＢ処理物となる電気機器としては、高圧トランス、高圧コンデンサ、低圧トランス・コンデンサ、柱上トランス等があり、廃ＰＣＢ等としては、熱媒体に用いたものは絶縁油として用いたもの、また、これらの洗浄に用いた灯油等があり、廃感圧紙としては、ノーカーボン紙に使用されたカプセルオイルがあり、さらに、これらのＰＣＢの使用又は熱媒の交換、絶縁油の再生、漏洩の浄化、ＰＣＢ含有物の処理等の際に用いられた活性炭や、廃白土、廃ウェス類、作業衣等のＰＣＢ汚染物がある。現在これらは厳重に保管がなされているが、早急なＰＣＢの処理が望まれている。
【０００３】
近年では、このようなトランス等に使用されているＰＣＢを処理する技術が種々提案されている（特許文献１、特許文献２）。
【０００４】
【特許文献１】特開平９−７９５３１号公報
【特許文献２】特開２００３−２８５０４１号公報
【発明の開示】
【発明が解決しようとする課題】
【０００５】
ところで、従来の処理はトランスやコンデンサ等の密閉容器に封入された状態のものを処理するものであり、処理物の受入に際しても、特許文献２に開示されているような目視による外観検査であった。また、必要に応じて内容物の呈色、錆類の有無の検査を行うようにしている。
【０００６】
しかしながら、現在認可されているＰＣＢ処理設備はＰＣＢ専用処理設備であり、そのＰＣＢの性状に応じて、圧力や条件を微妙に調整させており、ＰＣＢ以外の物質が混入している場合には、処理設備にトラブルが発生するという、問題がある。
また、ＰＣＢ以外の有害物質の専用処理設備の認可がなされていないのが現状である。
【０００７】
このトラブルの発生により、本来のＰＣＢ油の処理が停止することとなり、処理が遅延するという問題がある。さらに、プラント設備の操業の停止はその取換え工事や補修工事の工員等の増加に伴い、不要なコストが発生することになる。
よって、適正な事前受け入れ態勢が切望されている。
【０００８】
本発明は、前記問題に鑑み、ＰＣＢの適正な処理をトラブルなく行うことができる有機ハロゲン化処理物の受入検査方法及びＰＣＢ処理システムを提供することを課題とする。
【課題を解決するための手段】
【０００９】
上述した課題を解決するための本発明の第１の発明は、有機ハロゲン化処理物を処理する前段階において、処理依頼された被処理物から試験液を抜き出し、該試験液の受入検査を行い、その後有機ハロゲン化物か否かを判定することを特徴とする有機ハロゲン化処理物の受入検査方法にある。
【００１０】
第２の発明は、第１の発明において、受入検査が静電容量検査及び燃焼処理・塩素分析検査であることを特徴とする有機ハロゲン化処理物の受入検査方法にある。
【００１１】
第３の発明は、第１又は２の発明において、受入検査により有機ハロゲン化物以外の場合に、処理依頼者へ返却することを特徴とする有機ハロゲン化処理物の受入検査方法にある。
【００１２】
第４の発明は、第１乃至３のいずれか一つの発明において、有機ハロゲン化物がＰＣＢであることを特徴とする有機ハロゲン化処理物の受入検査方法にある。
【００１３】
第５の発明は、処理依頼された被処理物の性状を検査する受入部と、該受入部でＰＣＢを含む容器であることを確認した後、被処理物からＰＣＢを液抜きする液抜き部と、液抜きした容器を分離、破砕、洗浄等する容器処理部と、容器処理部から排出される分離品又は洗浄液又は有害物質を亜臨界状態で水熱酸化分解処理する水熱酸化分解装置とを、具備することを特徴とするＰＣＢ処理システムにある。
【００１４】
第６の発明は、第５の発明において、前記受入部が被処理物から試験液を抜取る液抜取り装置と、試験液の性状を検査する試験装置とを、具備することを特徴とするＰＣＢ処理システムにある。
【００１５】
第７の発明は、第６の発明において、前記試験装置が静電容量検査装置及び燃焼処理・塩素分析検査であることを特徴とするＰＣＢ処理システムにある。
【発明の効果】
【００１６】
本発明によれば、事前に被処理物の性状を判断することができ、ＰＣＢ処理専用設備でのトラブルを解消することができる。
【発明を実施するための最良の形態】
【００１７】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【００１８】
［実施の形態］
本発明による実施の形態に係るＰＣＢ受入処理の概略について、図面を参照して説明する。
図１は、本実施の形態に係るＰＣＢ処理システムの一例を示す概念図である。
図１に示すように、ＰＣＢ処理システム１０の前処理設備は、処理依頼者１１からの被処理物１２の容器に穴あけ処理装置１３で穴をあけ、試験液１４を取り出す。その後試験装置１５により試験を行うものである。この試験の結果を判定１６し、その判定結果に基づき、被処理物１２を分別処理１７する。
【００１９】
そして、前記判定により、「受入否」となった被処理物は密閉容器に封入後、処理依頼者へ返却１８する。
一方、判定により「受入可」となった被処理物はＰＣＢ処理設備１００へ搬送１９される。
【００２０】
前記試験装置１５は静電容量検査装置を用いて、その試験液の電導度を検査し、指示がない場合には有機物と判断し、ＰＣＢ成分を燃焼分解試験とイオンクロマト有機塩素分析計でＣｌ量の計測をする。
これは、無機塩素を除くためであり、静電容量検査試験において、有機物と判断した後、分解処理・塩素分析試験装置で試験を行うようにしている。
【００２１】
ここで、静電容量検査とは、絶縁された導体に電荷を与えたときその電位を検査することをいい、絶縁性物質の有する基本定数である誘電率を基に静電容量を測定することにより、水分の有無などを極めて正確に捉えることができ、水分測・検知が可能である。単位はファラッド（Ｆ）である。
【００２２】
分解処理・塩素分析検査とは、燃焼分解試験とイオンクロマト有機塩素分析試験とを併用する試験であり、燃焼システム及びガス吸収ユニットとイオンクロマトグラフから構成されている。試料をサンプルトレイにセットすると、後は燃焼から吸収、イオンクロマトグラフでの順に測定をする。石油製品、有機合成品、廃棄物、無機物等各種試料中の硫黄、ハロゲンを迅速に分析する事が出来る。イオンクロマトグラフィー装置は、水溶液中のイオン成分を分離して分析することにより、物質中の硫黄、フッ素、塩素等の元素の濃度・含有量を測定する機器である。液体以外の固形試料の測定に関しては、試料を燃焼酸化させて元素を吸収液に吸収するなどの前処理が必要となる。
【００２３】
ＰＣＢ成分と非ＰＣＢ成分の潤滑油類を判別できる。
また、ＰＣＢの塩素数（２塩素ＰＣＢ，３塩素ＰＣＢ等）を判別することができるので、ＰＣＢ処理の目安をたてることができる。
【００２４】
その他の試験方法として、棒挿入試験、内視鏡試験、蛍光Ｘ線分析試験、画像解析試験、電気伝導度試験、イオン電極試験、水分試験、比重試験、燃焼分解試験、イオンクロマト有機塩素分析試験、原子吸光分析試験、ｐＨ試験等を挙げることができるが、これらの試験に限定されるものではない。
【００２５】
ここで、棒挿入試験とは、タールやワックス類の高粘度を有する物質の簡易的な硬さ測定手法であり、ＪＩＳＫ２２３５「石油ワックス」の針入度に準拠するもので、被測定物の上部に孔を空けてその中に規定の細長い棒状（サイズは任意）の測定器を垂直に進入させる。一定時間後の深さと速さで内容物の粘性・硬さ、残さ物・異物の存在を簡易に確認することができる。また、その棒を引き出して棒の表面付着物から内容物構成を推察する。
この棒挿入試験により、タール類、有機溶剤、樹脂類等を判別できる。
【００２６】
内視鏡検査試験とは、医療分野で内臓の検査に活躍している装置であり、直径１ｃｍ程の柔らかい管の先端に、ＣＣＤをつけたファイバースコープで狭隘個所を観察する検査である。映像はテレビ撮影し、ビデオにも記録でき、被検査物を解体せずに、小さな穴をあけそこからファイバースコープを挿入して調べたい個所に、先端に小型カメラのついたチューブのようなものを挿入し、直接観察したり、写真を撮ったり、ビデオを撮影したりできる。
【００２７】
蛍光Ｘ線分析試験では、物質の化学的な組み合わせに関係なく全ての元素に対して濃度分析や含有量を知ることができる。
試料にＸ線を照射すると、試料中の元素が励起され電子を弾き出す。電子が弾き出されて安定を失った元素はもとの安定な状態へ戻るために外殻から電子を補給するが、この時に元素に固有の蛍光Ｘ線(特性エックス線)が発生する。この固有エネルギーのＸ線によって元素が識別でき、さらに強度が元素濃度に比例し、この励起により発生した蛍光X線は、高分解能比例計数管に入射しプリアンプ等の増幅回路により増幅されマルチチャンネルアナライザーによってエネルギー毎に分解され計数される。測定する元素を指定すれば、その元素固有のエネルギー窓が設定され計数されたＸ線から濃度を計算できる。
この蛍光Ｘ線分析試験は、分析が迅速で、非破壊分析であり、スペクトルは化学的状態に影響されず、同族元素の分析が容易であり、Ｂ−Ｕまでの分析が可能で、定性分析が可能であるという特徴を有している。
この試験により、錆、汚泥、廃塗料、廃薬品、廃農薬を判別できる。
【００２８】
画像解析試験は、人間の視覚情報を収集し、表面及び断面の各種物質の分布状態の解析に使用する。さらに大量のデータを収集し解析処理することができる。特に視覚情報はロボット制御、景観評価、形状設計など多様なデータ解析に利用可能である。また、得られた情報の可視化やデジタル信号処理結果の可視化、音声・動画などの活用にも役立つ装置である。顕微鏡又はテレビカメラにより取り込んだ画像をコンピュータ処理する。機器構成は大きく２つに分かれ、視覚情報収集処理装置、画像解析表示装置である。
この試験により、タール類、硫酸ピッチを判別できる。
【００２９】
電気伝導度試験は、導電率計（電気伝導率計）ともいい、容液中の電解質イオンに依存する電気の伝わりやすさの度合いを示すものであり、断面積１ｃｍ2、距離１ｃｍの対向する不活性な金属電極間にある溶液の電気抵抗の逆数で規定される。測定法の一つである、電極法は溶液中に対向する金属電極（ＳＵＳ・白金など）を入れ、液抵抗を測定し導電率を求めるもので、代表的に交流電圧方式がある。導電率計は、簡単かつ安価で連続測定が可能であるという利点がある。電極のセル定数を選択することにより、１０μＳ／ｍから１０Ｓ／ｍまでと測定範囲が広い。
この試験により、海水、雨水を判別できる。
【００３０】
イオン電極試験とはイオン選択性電極試験といい、溶液中に存在するＮａやＣｌなどの特定のイオンに感応して電位差を発生する電極で、イオンの濃度に応答して、電極電位が変化する電極である。比較電極と併用することにより、特定イオンの濃度を測定する。イオンメータ（イオン濃度計）を用いて測定し、各標準液による感度校正により、目的のイオン濃度を測定できる。公的にはＪＩＳＫ０１２２イオン電極通則に定義されている。自動連続測定に有効である。
この試験により、海水、雨水を判別できる。
【００３１】
水分試験では、水分量を計測するものである。この水分には、光（近赤外線）の特定波長を吸収する性質があり、物質に含まれる水分量が多くなれば、吸収される光エネルギー（特定波長）も大きくなる。赤外線水分計では、これらの物理的な現象を応用して測定するものである。水分に吸収される特定波長には、１．２μｍ、１．４μｍ、１．９４μｍ、２．９５μｍ等がある。この内任意の波長の測定光を検体に照射し、反射した光を測定する事で水分測定ができる。
【００３２】
浮計り試験とは、浮秤(錘の浮力と錘自身の重量をつりあわせることで液体の比重を計る比重計)の一種である。ガラスまたは金属製の管の下部を膨らませ、水銀または鉛を錘として入っている。液中で直立させて液面に接する位置で管に書かれた目盛りを読み取ることで液の比重を測定する。
【００３３】
原子吸光分析試験は、炎(フレーム)や黒鉛炉に高電流を流すことで生じる高温下で、試料中の目的元素が原子化され、その原子蒸気が特有の波長の光を吸収する現象を利用した試験法である。専用のランプから出る特有線を用いる方法であり、得られた吸光度が濃度に比例することで定量できる。一般に測定試料は、水溶液であるが、ＭＩＢＫ（メチルイソブチルケトン）や、アルコール、等の溶剤で有機物を含む固形試料を溶解し、濾過後原子吸光のフレームや黒鉛炉に導入して無機元素を測定する事ができる。
この試験により重金属類（Ｃｄ、ＣＮ、Ｏ−Ｐ、Ｐｂ、Ｃｒ、Ａｓ、Ｔ−Ｈｇ、Ｏ−Ｈｇ）を判別できる。
【００３４】
ｐＨ試験は、水溶液の酸性、アルカリ性の度合いを示す指標であり、水素イオンの活量の逆数の対数で定義されている。ｐＨの測定方法の標準は、ガラス電極法である。ガラス電極法は、水素イオン活量に相当する電位を示すガラス電極とｐＨに無関係に常に一定の電位を示す比較電極（参照電極）とから構成され両電極間に発生した電位差を電位差計で測定する。
この試験により硫酸ピッチを判別することができる。
【００３５】
ここで、図２にＰＣＢ処理設備の概略を示す。
ここでは、被処理物としてトランスを例にして説明する。
図２に示すように、本実施の形態にかかるＰＣＢ処理設備１００は、被処理物であるトランス３０からＰＣＢ２１を液抜きする前処理手段である液抜き手段２２と、前処理した後に、トランスを分離、破砕、洗浄等する容器処理システム２３と、容器処理システム２３から排出される分離品又は洗浄液又は有害物質をそのまま水熱分解処理で処理する有害物質処理手段である水熱酸化分解装置（以下、「水熱分解装置」ともいう）１２０とを、具備するものである。
【００３６】
上記容器処理システム２３の概略構成は、トランス３０内のＰＣＢ２１をＰＣＢ液抜き手段２２で液抜き後のトランス３０を、該トランスを構成する構成材である容器３２とコア３３とに分別処理する分別手段３４と、該分別手段３４により分別されたコア３３を構成する鉄心３５とコイル３６とに分離するコア分離手段３７と、該分離されたコイル３６を銅線３８と木・紙３９とに分離するコイル分離手段４０と、分離された紙・木３９等の有機物を粉砕処理してスラリー４１とする微粉砕手段４２と、層状の鉄心３５を破砕する鉄心破砕手段４３と、容器３２、破砕した鉄心片４４、上記分離された銅線３８等の無機物を洗浄液４５で洗浄する洗浄装置４６とを具備するものである。
【００３７】
また、一方の水熱酸化分解装置１２０の概略構成は、上記液抜きされたＰＣＢ２１又はスラリー４１又は洗浄廃液４７等の被処理物２５，油２６，水酸化ナトリウム（ＮａＯＨ）２７，純水２８，及び酸素（Ｏ2 ）２９を投入する筒形状の一次反応塔１０１と、配管を巻いた構成の二次反応塔１０７と、冷却器１０８および反応器の減圧弁１０９を備えている。また、減圧弁１０９の下流には、排水（Ｈ2Ｏ，ＮａＣｌ）１１４と排気ガス（ＣＯ2 ）１１２とに分離する気液分離器１１０が配置されている。なお、上記二次反応器１０７は必要に応じて省略することもできる。
【００３８】
上記装置において、加圧ポンプ１０５による加圧により一次反応塔１０１内は、例えば２６ＭＰａまで昇圧される。また、熱交換器１０６は、Ｈ2Ｏを３００℃程度に予熱する。また、一次反応塔１０１内には酸素が噴出しており、内部の反応熱により３５０℃〜４００℃まで（好適には３７０℃まで）昇温する。この段階までに、反応塔１０１の内部では酸化分解反応を起こし、被処理物２５に含まれたＰＣＢはＣＯ2およびＨ2Ｏに分解されている。つぎに、冷却器１０８では、二次反応塔１０７からの流体を１００℃程度までに冷却すると共に後段の減圧弁１０９にて大気圧まで減圧する。そして、気液分離器１１０によりＣＯ2および水蒸気と処理液とが分離され、ＣＯ2および水蒸気は、活性炭層１１１を通過して環境中に排出される。
【００３９】
このようにＰＣＢ処理システムによれば、事前にＰＣＢのみを判定することで、その後のＰＣＢ処理の円滑を図ることができ、処理設備に不要なトラブルが発生するようなことはなくなる。
【００４０】
この結果、健全なＰＣＢ分解処理の運転・運用を行うことができ、トラブルの発生等による不要なコストが発生せず、ＰＣＢ処理の費用の削減が可能となる。また、排気、排水、廃棄物、リサイクル物への二次汚染の防止が可能となる。
【産業上の利用可能性】
【００４１】
以上のように、本発明にかかる有機ハロゲン化処理物の受入検査方法によれば、ＰＣＢ処理する前段階において、処理依頼された被処理物がＰＣＢを含有しているか否かを判定するので、ＰＣＢ処理の健全をはかることができ、ＰＣＢ処理システムに適している。
【図面の簡単な説明】
【００４２】
【図１】ＰＣＢ処理システムの一例を示す概念図である。
【図２】ＰＣＢ処理設備の一例を示す概略図である。
【図３】水熱酸化分解装置の一例を示す概略図である。
【符号の説明】
【００４３】
１１  処理依頼者
１２  被処理物
１３  穴あけ処理装置
１４  試験液
１５  試験装置
１６  判定
１７  分別処理
【図１】
2005238130.tif 000003
【図２】
2005238130.tif 000004
【図３】
2005238130.tif 000005